(57)【要約】      （修正有）【課題】端子部品とパネルとをビス止めするためのビスが緩く締められても端子部品の接地部とパネルとを電気的に接続することが可能な電子機器の筐体を提供する。【解決手段】本実施形態のＤＶＤ記録再生装置は、導電性の部材から成るシャーシ１０上のプリント配線基板１１にＲＣＡジャック１２が取り付けられており、導電性の部材から成るリアパネル１７がシャーシ１０とビス１８によりビス止めされた際に、ＲＣＡジャック１２の接地を行うための接地部１２２が、それぞれ対応するリアパネル１７の孔部の外周部に設けられた切り起こし部１７５と接触する構成とされている。【選択図】図４
2007335137.tif 000002
【特許請求の範囲】
【請求項１】
信号を入力又は出力するための信号端子と該信号端子と絶縁された接地端子とを同心円状に備える端子部、該端子部の長手方向に対して垂直な方向の面から成るとともに、該接地端子と電気的に接続され、接地を行うための接地部、及び該接地部に設けられたビス止めを行うための穴部を有した端子部品が配置されるプリント配線基板を搭載するためのシャーシと、
前記シャーシと着脱自在であり、前記端子部が挿入される開口部、及び前記穴部とビス止めを行うための孔部が設けられた導電性の部材から成るパネルと、
を備えた電子機器の筐体において、
前記パネルは、前記パネルが前記シャーシへ装着された際に、前記接地部と電気的に接続し、前記孔部に対して垂直に切り起こされた矩形形状の切り起こし部を前記孔部の外周に備え、
前記切り起こし部の前記パネルの表面から先端までの長さは、前記パネルの厚さに等しいことを特徴とする電子機器の筐体。
【請求項２】
信号を入力又は出力するための信号端子と該信号端子と絶縁された接地端子とを同心円状に備える端子部、該端子部の長手方向に対して垂直な方向の面から成るとともに、該接地端子と電気的に接続され、接地を行うための接地部、及び該接地部に設けられたビス止めを行うための穴部を有した端子部品が配置されるプリント配線基板を搭載するためのシャーシと、
前記シャーシと着脱自在であり、前記端子部が挿入される開口部、及び前記穴部とビス止めを行うための孔部が設けられた導電性の部材から成るパネルと、
を備えた電子機器の筐体において、
前記パネルは、前記パネルが前記シャーシへ装着された際に、前記接地部と電気的に接続し、前記孔部に対して垂直に切り起こされた切り起こし部を前記孔部の外周に備えることを特徴とする電子機器の筐体。
【請求項３】
前記切り起こし部の前記パネルの表面から先端までの長さは、前記パネルの厚さに等しいことを特徴とする請求項２に記載の電子機器の筐体。
【請求項４】
前記切り起こし部は、前記孔部の全外周に設けられることを特徴とする請求項２または請求項３に記載の電子機器の筐体。
【発明の詳細な説明】
【技術分野】
【０００１】
本発明は、ＤＶＤ記録再生装置やＤＶＤ再生装置などの電子機器の筐体に関するものであり、特に、信号の入力又出力に用いられる端子部品の接地部とパネルとの電気的な接続に関するものである。
【背景技術】
【０００２】
従来より、ＤＶＤ記録再生装置やＤＶＤ再生装置などの電子機器の筐体においては、電波規格（例えば、ＣＩＳＰＲ（国際無線障害特別委員会）規格）や静電試験規格（例えば、ＩＥＣ６１０００−４−２やＥＮ６１０００−４−２）を満たすことを目的として、音声信号やビデオ信号などの信号の入力又は出力に用いられる端子部品のＲＣＡジャックの接地部が、以下のように、リアパネルと面接触して電気的に接続されることで、ＲＣＡジャックのリアパネルへの接地が行われている。
【０００３】
図７は、従来の電子機器において、ＲＣＡジャックとリアパネルとがビス止めされていない場合を模式的に示す上面図である。図７に示すように、従来の電子機器において、鉄板からなるシャーシ８１に備えられたプリント配線基板８２の背面側にＲＣＡジャック８３が取り付けられており、シャーシ８１の両側の側面部８１ａが内側に折り曲げられて接続部８１ｂが形成されている。また、鉄板から成るリアパネル８４が、接続部８１ｂとビス８５によりビス止めされている。このとき、ＲＣＡジャック８３の接地を行うための接地部８３ａがリアパネル８４のＲＣＡジャック側の面８４ａと接触するように、ＲＣＡジャック８３がプリント配線基板８２に取り付けられているにもかかわらず、リアパネル８４の歪みやＲＣＡジャック８３の位置ズレ等によってＲＣＡジャック８３の接地部８３ａがリアパネル８４の面８４ａと面接触せず電気的に接続しないという問題があった。
【０００４】
そこで、この問題を解決するために、従来の電子機器においては、以下のように、ＲＣＡジャック８３とリアパネル８４とがビス止めされている。図８は、ＲＣＡジャックの接地部とリアパネルとが良好に面接触した場合を模式的に示す上面図である。図８に示すように、従来の電子機器において、鉄板からなるシャーシ８１に備えられたプリント配線基板８２の背面側にＲＣＡジャック８３が取り付けられており、シャーシ８１の両側の側面部８１ａが内側に折り曲げられて接続部８１ｂが形成されている。また、鉄板から成るリアパネル８４が、背面側の接続部８１ｂ及びＲＣＡジャック８３とビス８５によりビス止めされている。このとき、このビス止めによって、リアパネル８４の面８４ａと、ＲＣＡジャック８３の接地を行うための接地部８３ａと、が面接触して電気的に接続されることで、ＲＣＡジャック８３の接地部８３ａが、リアパネル８４に接地される。
【特許文献１】特開２００１−２９１９８８号公報
【発明の開示】
【発明が解決しようとする課題】
【０００５】
確かに、従来の電子機器の筐体であれば、図８に示すように、ビス止めによって、リアパネル８４のジャック側の面８４ａと、ＲＣＡジャック８３の接地部８３ａと、が面接触する場合には、これらが電気的に接続するため、ＲＣＡジャック８３の接地部８３ａをリアパネル８４に接地することが可能である。
【０００６】
しかしながら、従来の電子機器の筐体では、従来の電子機器の組み立て工程において、図９に示すように、作業ミス等によりリアパネル８４と、ＲＣＡジャック８３と、をビス止めするためのビス８５が緩く締められた際には、リアパネル８４の歪みやＲＣＡジャック８３の取り付け位置のズレ等も重なって、リアパネル８４のジャック側の面８４ａと、ＲＣＡジャック８３の接地部８３ａと、が面接触しないことがあった。このため、ＲＣＡジャック８３の接地部８３ａがリアパネル８４に接地されず、従来の電子機器が、電波規格や静電試験規格を満たさないという問題があった。
【０００７】
なお、参考となる従来技術として、液晶表示装置を保持する板金ケースに一体に設けた突片を、操作パネルを装置本体の前面板に組み立てる際に、装置本体の前面板に一体に設けた舌片に接触せせることにより、静電気を板金ケースから前面板に逃がすようにする電子部品静電気防止装置が開示・提案されている（例えば、特許文献１を参照）。
【０００８】
本発明は、上記の課題に鑑み、端子部品とパネルとをビス止めするためのビスが緩く締められても端子部品の接地部とパネルとを電気的に接続することが可能な電子機器の筐体を提供することを目的とする。
【課題を解決するための手段】
【０００９】
上記目的を達成するために、本発明に係る電子機器の筐体は、信号を入力又は出力するための信号端子と該信号端子と絶縁された接地端子とを同心円状に備える端子部、該端子部の長手方向に対して垂直な方向の面から成るとともに、該接地端子と電気的に接続され、接地を行うための接地部、及び該接地部に設けられたビス止めを行うための穴部を有した端子部品が配置されるプリント配線基板を搭載するためのシャーシと、前記シャーシと着脱自在であり、前記端子部が挿入される開口部、及び前記穴部とビス止めを行うための孔部が設けられた導電性の部材から成るパネルと、を備え、前記パネルは、前記パネルが前記シャーシへ装着された際に、前記接地部と電気的に接続し、前記孔部に対して垂直に切り起こされた矩形形状の切り起こし部を前記孔部の外周に備え、前記切り起こし部の前記パネルの表面から先端までの長さは、前記パネルの厚さに等しい構成とされている。
【００１０】
このような構成とされることにより、端子部品とパネルとをビス止めするためのビスが緩く締められても、切り起こし部が端子部品の接地部に確実に接触し、端子部品の接地部をパネルに電気的に接続させて確実に接地することが可能となる。
【００１１】
本発明に係る電子機器の筐体は、信号を入力又は出力するための信号端子と該信号端子と絶縁された接地端子とを同心円状に備える端子部、該端子部の長手方向に対して垂直な方向の面から成るとともに、該接地端子と電気的に接続され、接地を行うための接地部、及び該接地部に設けられたビス止めを行うための穴部を有した端子部品が配置されるプリント配線基板を搭載するためのシャーシと、前記シャーシと着脱自在であり、前記端子部が挿入される開口部、及び前記穴部とビス止めを行うための孔部が設けられた導電性の部材から成るパネルと、を備え、前記パネルは、前記パネルが前記シャーシへ装着された際に、前記接地部と電気的に接続し、前記孔部に対して垂直に切り起こされた切り起こし部を前記孔部の外周に備える構成とされている。
【００１２】
このような構成とされることにより、各切り起こし部が、端子部品の接地部に確実に接触し、端子部品の接地部をパネルに電気的に接続させて確実に接地することが可能となる。
【００１３】
また、上記構成から成る電子機器の筐体において、前記切り起こし部の前記パネルの表面から先端までの長さは、前記パネルの厚さに等しくされるとよい。
【００１４】
このような構成とすることにより、パネルが切り起こし部により大きく曲がることを防ぐことができる。
【００１５】
また、上記構成から成る電子機器の筐体において、前記切り起こし部は、前記孔部の全外周に設けられるとよい。
【００１６】
このような構成とすることにより、切り起こし部とパネルとの接触面積を増すことが可能となる。
【発明の効果】
【００１７】
上記したように、本発明に係る電子機器の筐体であれば、端子部品の接地部とパネルとを確実に電気的に接続することが可能となる。
【発明を実施するための最良の形態】
【００１８】
以下では、本発明の電子機器の筐体をＤＶＤ記録再生装置に適用した場合を例に挙げて説明を行う。図１は、本実施形態のＤＶＤ記録再生装置におけるリアパネル側の一部を模式的に示す分解斜視図である。図２は、図１に示す矢印Ａ側から見た場合のリアパネルの一部を模式的に示す斜視図である。本実施形態のＤＶＤ記録再生装置１は、図１に示すように、鉄等の導電性の部材から成るシャーシ１０と、プリント配線基板１１と、端子部品のＲＣＡジャック１２〜１４と、受側コネクタ１６と、鉄等の導電性の部材から成るリアパネル１７と、を備えている。なお、ＤＶＤ記録再生装置１は、図１には記載されていないが、当然、鉄等の導電性の部材から成るカバー、前面パネル、電源用コード、各種コネクタ、各種ジャック、およびピックアップなどを備えている。
【００１９】
シャーシ１０は、プリント配線基板１１が備えられる底面板部１０１と、底面板部１０１の両側に略垂直に折り曲げ形成されて立ち上がる左右一対の側面板部１０２と、左右一対の側面板部１０２の背面側に装置内部に向けて略垂直に折り曲げ形成された左右一対の接続部１０３と、底面板部１０１の背面側に略垂直に折り曲げ形成されて立ち上がるガード部１０４と、から成る。
【００２０】
２つの接続部１０３の両方には、リアパネル１７とビス止めを行うための円形の孔部１０３ａが設けられている。
【００２１】
プリント配線基板１１は、シャーシ１０の底面板部１０１に備えられ、ビス止めによりシャーシ１０に固定されている。また、プリント配線基板１１には、ＤＶＤ記録再生の機能を達成するために所定の回路を構成するプリント配線（不図示）が形成され、ＲＣＡジャック１２〜１４やコネクタ１６の他に各種電子部品等（不図示）が取り付けられている。
【００２２】
ＲＣＡジャック１２は、プラグ（不図示）が差し込まれる端子部１２１と、端子部１２１の長手方向に対して垂直方向の面上に備えられた導電性の部材から成り、ＲＣＡジャック１２の接地を行うための接地部１２２と、接地部１２２に設けられ、ビス止めを行うために螺子きりされた穴部１２３と、を備える。また、端子部１２１は、デジタルの音声信号を外部装置へ出力するための信号端子１２１ａと、その最外周に信号端子１２１ａと絶縁された導電性の部材から成る接地端子１２１ｂと、を同心円状に備える。また、接地部１２２は、接地端子１２１ｂと電気的に接続されている。また、ＲＣＡジャック１２は、接地部１２２がリアパネル１７に対向する接続部１０３の面と略同一面になるように、プリント配線基板１１に取り付けられている。
【００２３】
ＲＣＡジャック１３は、プラグ（不図示）が差し込まれる端子部１３１ａ、１３１ｂと、端子部１３１ａ、１３１ｂの長手方向に対して垂直方向の面上に備えられた導電性の部材から成り、ＲＣＡジャック１３の接地を行うための接地部１３２と、接地部１３２に設けられ、ビス止めを行うために螺子きりされた穴部（不図示）と、を備える。また、端子部１３１ａ、１３１ｂのそれぞれは、符号は付していないが、端子部１２１と同様に、アナログの音声信号を外部装置へ出力するための信号端子と、その最外周に信号端子と絶縁された導電性の部材から成る接地端子と、を同心円状に備える。また、接地部１３２は、端子部１３１ａ、１３１ｂの各接地端子と電気的に接続されている。また、ＲＣＡジャック１３は、接地部１３２がリアパネル１７に対向する接続部１０３の面と略同一面になるように、プリント配線基板１１に取り付けられている。
【００２４】
ＲＣＡジャック１４は、プラグ（不図示）が差し込まれる端子部１４１ａ、１４１ｂと、端子部１４１ａ、１４１ｂの長手方向に対して垂直方向の面上に備えられた導電性の部材から成り、ＲＣＡジャック１４の接地を行うための接地部１４２と、接地部１４２に設けられ、ビス止めを行うために螺子きりされた穴部（不図示）と、を備える。また、端子部１４１ａ、１４１ｂのそれぞれは、符号は付していないが、端子部１２１と同様に、アナログの音声信号を外部装置から入力するための信号端子と、その最外周に信号端子と絶縁された導電性の部材から成る接地端子と、を同心円状に備える。また、接地部１４２は、端子部１４１ａ、１４１ｂの各接地端子と電気的に接続されている。また、ＲＣＡジャック１４は、接地部１４２がリアパネル１７に対向する接続部１０３の面と略同一面になるように、プリント配線基板１１に取り付けられている。
【００２５】
なお、ＲＣＡジャック１２〜１４において、端子部１２１、１３１ａ、１３１ｂ、１４１ａ、１４１ｂにプラグ（不図示）が差し込まれた際には、端子部１２１、１３１ａ、１３１ｂ、１４１ａ、１４１ｂの接地端子が、接地用の配線に接続されたプラグの接地端子（不図示）と電気的に接続されることになる。また、端子部１２１、１３１ａ、１３１ｂ、１４１ａ、１４１ｂにプラグ（不図示）が差し込まれた際には、端子部１２１、１３１ａ、１３１ｂ、１４１ａ、１４１ｂの信号端子が、信号の送信用の配線に接続されたプラグの信号端子（不図示）と電気的に接続されることになる。
【００２６】
コネクタ１６は、ビデオ信号を外部装置へ出力するための出力端子となるコネクタである。
【００２７】
リアパネル１７は、図１及び図２に示すように、シャーシ１０とビス止めにより着脱自在であり、その外周部がシャーシ１０へ向けて略垂直に折り曲げられている。また、リアパネル１７には、リアパネル１７とシャーシ１０に対してビス止めを行うために、各接続部１０３の孔部１０３ａに対応する位置に円形の孔部１７１が形成されている。
【００２８】
また、リアパネル１７には、ＲＣＡジャック１２〜１４の端子部１２１、１３１ａ、１３１ｂ、１４１ａ、１４１ｂに対応する位置に、ジャック部１２１、１３１ａ、１３１ｂ、１４１ａ、１４１ｂが挿入される円形の開口部１７２が形成されている。
【００２９】
また、リアパネル１７には、ＲＣＡジャック１２〜１４の各穴部をリアパネル１７とビス止めを行うために、ＲＣＡジャック１２〜１４の各穴部に対応する位置に孔部１７３が形成されている。
【００３０】
また、図２及び図３に示すように、リアパネル１７には、各孔部１７３の外周部の一部に、ＲＣＡジャック１２〜１４に向けて孔部１７３に対して垂直に折り曲げ形成されて切り起こされた矩形状の切り起こし部１７５が形成されている。この各切り起こし部１７５は、リアパネル１７がシャーシ１０にビス止めにより装着された際に、それぞれ対応する接地部１２２、１３２、１４２と接触して電気的に接続される。
【００３１】
各切り起こし部１７５において、リアパネル１７のＲＣＡジャック１２〜１４に対向する面１７６の表面から先端までの長さＬは、リアパネル１７がシャーシ１０に装着された際に、リアパネル１７が大きく曲がることを防ぐために、リアパネル１７を形成する導電性の部材の厚さと同じ程度とされている。なお、その長さＬは、リアパネル１７がシャーシ１０に取り付けられた際に、各切り起こし部１７が対応するＲＣＡジャック１２〜１４の接地部１２２、１３２、１４２と接触し、リアパネル１７のシャーシ１０への装着が可能で、かつ、装置全体として電波規格や静電試験規格を満たす長さであればよい。また、各孔部１７３の切り起こし部１７５は、後述する開口部１７４の切り起こし部１７７と同じ工程で作製される。
【００３２】
また、リアパネル１７には、リアパネル１７がシャーシ１０に装着される際に、コネクタ１６が挿入されるコネクタ１６の外形より大きい開口部１７４が形成されている。また、図２に示すように、リアパネル１７において、開口部１７４の外周部の一部に、コネクタ１６に向けて略垂直に折り曲げ形成されて切り起こされた矩形状の切り起こし部１７７が形成されている。この切り起こし部１７７は、リアパネル１７がシャーシ１０に装着される際に、コネクタ１６を開口部１７４に挿入し易いようにガイドするものである。
【００３３】
次に、シャーシ１０へのリアパネル１７の装着について以下に説明を行う。なお、リアパネル１７に対向するシャーシ１０の前面側には、前面パネル（不図示）が既に取り付けられているものとする。図１に示すように、まず、それぞれ対応するリアパネル１７の開口部１７２、１７４にＲＣＡジャック１２〜１４のジャック部１２１、１３１ａ、１３１ｂ、１４１ａ、１４１ｂ及びコネクタ１６が挿入され、リアパネル１７がシャーシ１０の背面側に取り付けられる。続いて、シャーシ１０の孔部１０３ａとリアパネル１７の孔部１７１が一致するように位置決めされて、シャーシ１０の孔部１０３ａとリアパネル１７の孔部１７１とが、ビス（不図示）によりビス止めされる。なお、その後、鉄等の導電性の部材から成り、装置の上面及び両側面を覆うカバー（不図示）が取り付けられて、そのカバーがシャーシ１０にビス止めされる。
【００３４】
次に、リアパネル１７がシャーシ１０にビス止めされた際のＲＣＡジャック１２〜１４の接地部１２２、１３２、１４２とそれらに対応するリアパネル１７の切り起こし部１７５との接触について以下に説明を行う。なお、以下では、説明の便宜上、代表して、ＲＣＡジャック１２の接地部１２２とそれに対応するリアパネル１７の切り起こし部１７５との接触について説明を行う。また、ＲＣＡジャック１３〜１４の接地部１３２、１４２とそれらに対応するリアパネル１７の切り起こし部１７５との接触は、以下の説明と同様である。図４は、ＲＣＡジャック１２の接地部１２２とそれに対応するリアパネル１７の切り起こし部１７５との接触について説明を行うための図である。また、図４は、ＤＶＤ記録再生装置の背面側を上面側から見た場合の模式的な図である。なお、図４に示すきり起こし部１７５は、発明を理解しやすくするために、リアパネル１７の面１７６から先端までの長さがリアパネル１７の厚さよりも長く記載されている。
【００３５】
図４に示すように、シャーシ１０の孔部１０３ａとそれに対応するリアパネル１７の孔部１７１にビス１８が挿入されて、リアパネル１７がシャーシ１０にビス止めされている。このとき、リアパネル１７は、ビス止めによってリアパネル１７とシャーシ１０との接触すること、及び／またはビス１８を介することでシャーシ１０と電気的に接続されている。また、ＲＣＡジャック１２をリアパネル１７に固定し、リアパネル１７とＲＣＡジャック１２の接地部１２２を接触させるために、リアパネル１７の孔部１７３及びＲＣＡジャック１２の穴部１２３にビス１９が挿入されて、リアパネル１７とＲＣＡジャック１２がビス１９によりビス止めされている。なお、ビス１８、１９は、導電性の部材から成る。
【００３６】
このとき、図４に示すように、たとえビス１９が緩んでいたとしても、リアパネル１７がビスに止めによりシャーシ１０に装着されており、リアパネル１７の孔部１７３の外周部に切り起こし部１７５が設けられているため、切り起こし部１７５がＲＣＡジャック１２の接地部１２２に確実に接触し、ＲＣＡジャック１２の接地部１２２が、切り起こし部１７５を介してリアパネル１７に電気的に接続されて接地される。なお、このとき、ビス１９が緩んでいたとしても、各ビス１９によりＲＣＡジャック１２がシャーシ１０にビス止め固定されていることに変わりがないため、ＲＣＡジャック１２が振動によってプリント配線基板１１から外れてしまう等の不具合は防止されている。
【００３７】
更に云えば、ＲＣＡジャック１２をリアパネル１７に固定する必要がなく、ビス１９が用いられない場合でも、同様に、リアパネル１７がシャーシ１０にビス１８によりビス止めされ、リアパネル１７の孔部１７３の外周部に切り起こし部１７５が設けられているため、切り起こし部１７５がＲＣＡジャック１２の接地部１２２に確実に接触し、ＲＣＡジャック１２の接地部１２２が、切り起こし部１７５を介してリアパネル１７に電気的に接続されてリアパネル１７に接地される。
【００３８】
従って、上記したように、本実施形態のＤＶＤ記録再生装置であれば、リアパネル１７がシャーシ１０にビス１８によりビス止めされた状態のとき、ＲＣＡジャック１２〜１４をリアパネル１７に固定し、リアパネル１７とＲＣＡジャック１２〜１４の接地部１２２、１３２、１４２を接触させるためのビス１９が緩んでいたとしても、リアパネル１７の各孔部１７３の外周部に切り起こし部１７５が設けられているため、各切り起こし部１７５が、対応するＲＣＡジャック１２〜１４の接地部１２２、１３２、１４２に確実に接触し、ＲＣＡジャック１２の接地部１２２、１３２、１４２をリアパネル１７に電気的に接続させて確実に接地することが可能となる。これにより、ビス１９が緩んでいたとしても、電波規格や静電試験規格を必ず満たすことが可能となる。
【００３９】
また、リアパネル１７がシャーシ１０にビス止めされて装着された状態のとき、ＲＣＡジャック１２〜１４をリアパネル１７に固定するとともに、リアパネル１７とＲＣＡジャック１２〜１４の接地部１２２、１３２、１４２を接触させるためのビス１９が必要ない場合においても、リアパネル１７の孔部１７３の外周部に切り起こし部１７５が設けられているため、各切り起こし部１７５が、対応するＲＣＡジャック１２〜１５の接地部１２２、１３２、１４２に確実に接触し、ＲＣＡジャック１２〜１４の接地部１２２、１３２、１４２をリアパネル１７に電気的に接続させて確実に接地することが可能となる。これにより、ビス１９が必要のない場合においても、電波規格や静電試験規格を必ず満たすことが可能となる。
【００４０】
また、各孔部１７３の切り起こし部１７５は、開口部１７４の切り起こし部１７７と同じ工程で作製されるため、切り起こし部１７５の作製により工程数が増加することがない。
【００４１】
なお、上記の実施形態では、ＲＣＡジャック１２〜１４の接地部１２２、１３２、１４２と接触する切り起こし部１７５の形状は矩形であったが、切り起こし部１７５は、以下に説明する形状でもよく、上記と同様な効果を得ることができる。図５（ａ）は、リアパネル１７を上面側から見た場合の三角形状の切り起こし部１７５を模式的に示す図であり、図５（ｂ）は、リアパネル１７を上面側から見た場合の半円形状の切り起こし部１７５を模式的に示す図である。図５（ａ）に示すように、切り起こし部１７５は、孔部１７３の外周部の一部とその一辺が一致する三角状でもよい。また、図５（ｂ）に示すように、切り起こし部１７５は、半円形状でもよい。なお、切り起こし部１７は、円や楕円を切断した形状でもよい。
【００４２】
また、図６（ａ）は、ＲＣＡジャック側から見た場合におけるリアパネル１７の孔部１７３の外周部全体に亘って設けられた切り起こし部１７５を模式的に示す図である。図６（ｂ）は、図６（ａ）に示す破線部分の断面を矢印Ｂ方向から見た場合の切り起こし部１７５を模式的に示す図である。図６（ａ）、（ｂ）に示すように、切り起こし部１７５は、リアパネル１７の孔部１７２の外周部全体に亘って設けられていてもよい。また、図５（ａ）、（ｂ）及び図６（ａ）、（ｂ）に示す切り起こし部１７５において、リアパネル１７のＲＣＡジャック１２〜１４に対向する面１７６から先端までの長さＬは、リアパネル１７を形成する導電性の部材の厚さと同じ程度が好ましい。なお、その長さＬは、リアパネル１７がシャーシ１０に取り付けられた際に、各切り起こし部１７がＲＣＡジャック１２〜１４の接地部１２２、１３２、１４２と接触し、リアパネル１７のシャーシ１０への取り付けが可能となる高さであればよい。
【００４３】
また、本発明の構成は、上記実施形態のほか、発明の主旨を逸脱しない範囲で種々の変更を加えることが可能である。
【産業上の利用可能性】
【００４４】
本発明は、ＤＶＤ記録再生装置やＤＶＤ再生装置等の電子機器の筐体に幅広く適用することが可能である。
【図面の簡単な説明】
【００４５】
【図１】は、本実施形態のＤＶＤ記録再生装置におけるリアパネル側の一部を模式的に示す分解斜視図である。
【図２】は、図１に示す矢印Ａ側から見た場合のリアパネルの一部を模式的に示す斜視図である。
【図３】は、矩形形状の切り起こし部１７５を模式的に示す図である。
【図４】は、ＲＣＡジャック１２の接地部１２２とそれに対応するリアパネル１７の切り起こし部１７５との接触について説明を行うための図である。
【図５】は、三角形状の切り起こし部１７５及び半円形状の切り起こし部１７５を模式的に示す図である。
【図６】は、リアパネル１７の孔部１７３の外周部全体に亘って設けられた切り起こし部１７５を説明するための図である。
【図７】は、従来の電子機器において、ＲＣＡジャックとリアパネルとがビス止めされていない場合を模式的に示す上面図である。
【図８】は、ＲＣＡジャックの接地部とリアパネルとが良好に面接触した場合を模式的に示す上面図である。
【図９】は、ＲＣＡジャックの接地部とリアパネルとが面接触していない場合を模式的に示す図である。
【符号の説明】
【００４６】
１    ＤＶＤ記録再生装置
１０    シャーシ
１０１    底面板部
１０２    側面板部
１０３    接続部
１０３ａ    孔部
１０４    ガード部
１１    プリント配線基板
１２〜１４    ＲＣＡジャック
１２１、１３１ａ、１３１ｂ、１４１ａ、１４１ｂ    端子部
１２２、１３２、１４２    接地部
１２３    穴部
１２１ａ    信号端子
１２１ｂ    接地端子
１６    受側コネクタ
１７    リアパネル
１７１、１７３    孔部
１７２、１７４    開口部
１７５    切り起こし部
【図１】
2007335137.tif 000003
【図２】
2007335137.tif 000004
【図３】
2007335137.tif 000005
【図４】
2007335137.tif 000006
【図５】
2007335137.tif 000007
【図６】
2007335137.tif 000008
【図７】
2007335137.tif 000009
【図８】
2007335137.tif 000010
【図９】
2007335137.tif 000011